(57)【特許請求の範囲】
【請求項１】
ウッド用ゴルフクラブのフェース面に貼ることの出来るボール衝突点変色シールであって、該ボール衝突点変色シールはその外形形状が左右対称で、略ゴルフクラブのフェース面形状に沿った外形形状を有し、下部中央に突出部を有し、かつその表面には該突出部の最下端と接して外形形状を2分する縦軸線と、該突出部の最下端から27.5ｍｍ±10ｍｍ上方に位置する横軸線を有し、縦軸線の左右に縦軸線と平行にそれぞれ縦軸線から6ｍｍ離れた位置に補助縦軸線を有し、横軸線の上下に横軸線と平行にそれぞれ横軸線から5ｍｍ離れた位置に補助横軸線を有し、かつその外形形状において、横軸線より下部に、縦軸線を軸として対称の位置に前記横軸線と平行な切り欠き部を有することを特徴とするボール衝突点変色シール。
【請求項２】
前記ボール衝突点変色シールは、表面の縦軸線に前記突出部の最下端を基準として3ｍｍ〜10ｍｍピッチの目盛を有し、補助横軸線の下部から突出部の最下端の間に横軸線と平行な破線を有し、外形形状において、切り欠き部の延長線上に該破線を有することを特徴とする請求項1に記載したボール衝突点変色シール。
【発明の詳細な説明】
【０００１】
【発明の属する技術分野】
この発明はウッド用ゴルフクラブのフェース面に貼ることのできるボール衝突点変色シールに関する技術分野に属するものである。
【０００２】
【従来の技術】
従来のボール衝突点変色シールにおいて、実開昭５８−７７７７１号には、ゴルフクラブのヘッドの表面型に成形され、多層構造であることを特徴とする打痕表示カードが開示されている。また、実開昭４９−７１０６８号には、表面に数条の同心円形線又は縦横線、及び中心部に中心孔又は下側中心部に中心線が附されたことを特徴とするゴルフ打撃用練習感圧紙（登録商標）が開示されている。さらに実開昭５８−８９０７２号には、表面形状が楕円形状であることを特徴とするスイートスポットマーキングシートが開示されている。
【０００３】
【発明が解決しようとする課題】
しかし、実開昭５８−７７７７１号に開示された打痕表示カードは、表面形状がゴルフクラブのヘッドの表面型であるとされている。しかしゴルフクラブのフェース面形状は統一されたものではなく、種種の形状が存在する。またゴルフクラブのフェース面形状は必ずしも左右対称ではなく、動種類のゴルフクラブであっても右利き用ゴルフクラブのと左利き用ゴルフクラブでは、フェース面形状が同一ではない。従って、該打痕表示カードを実際に市場に提供する為には、多くのゴルフクラブのフェース面形状に対応する為に生産者がかなりの種類の形状の該打痕表示カードを用意せねばならないという問題点があった。
【０００４】
また、実開昭４９−７１０６８号に開示されたゴルフ打撃練習感圧紙には、該感圧紙表面に数条の同心円形線又は縦横線、及び中心部に中心孔又は下側中心部に中心線が附されているが、該感圧紙表面の中心部をゴルフクラブフェース面のどの位置に合わせ、該ゴルフ打撃練習感圧紙をゴルフクラブフェース面に貼るのかが全く不明である。従って、ゴルフ打撃練習により該感圧紙表面に付着した打痕が実際のゴルフクラブのスイートスポットと、どの程度離れているのかが全く不明であるといった問題点があった。
【０００５】
さらに、実開昭５８−８９０７２号に開示されたスイートスポットマーキングシートは、表面形状が楕円形状であり、ゴルフクラブのフェース面のスコアラインといかにして平衡に位置を決めるのかといった考慮がなされていない。従って、ゴルフクラブのフェース面へ該スイートスポットマーキングシートを貼り付けても、該シート全体が左右に傾斜しやすい。つまり、傾斜して該スイートスポットマーキングシートがゴルフクラブのフェース面へ貼り付けられていた場合、該スイートスポットマーキングシートをゴルフクラブのフェース面より剥がした後では該スイートスポットマーキングシート表面に付着した打痕の位置が、ゴルフクラブのフェース面の打撃位置を特定出来ないという問題があった。
【０００６】
そこで本発明のボール衝突点変色シールは、さまざまなフェース面形状のゴルフクラブに対応可能である。また、ゴルフクラブフェース面のどの位置に貼るのかが不適格であるという点や、ゴルフクラブフェース面に貼りつけられたシールのシール表面に示された線や区域が実際のゴルフクラブフェース面のスイートスポットと必ずしも対応していないという問題点、シールをゴルフクラブフェース面に貼りつけた時、シール全体がゴルフクラブのフェース面上で傾斜しやすいという問題点を根本的に解決するという事を目的とする。
【０００７】
【発明が解決しようとする手段】
そこで上記問題を解決し、多くのウッド用ゴルフクラブのフェース面に対応可能で、ゴルフクラブフェース面への貼りつけ位置がわかりやすく、また打撃練習によって形成される打痕の位置と実際のゴルフクラブフェース面のスイートスポットの位置とが対比しやすく、ゴルフクラブフェース面で傾斜して貼りつけられることが極端に少いというボール衝突点変色シールに関する発明をするに至った。
【０００８】
即ち本発明に係わるボール衝突点変色シールは、外形形状が左右対称で、略ゴルフクラブのフェース面形状に沿った外形形状を有し、下部中央に突出部を有し、かつその表面には該突出部の最下端と接して外形形状を2分する縦軸線と、該突出部の最下端から27.5ｍｍ±10ｍｍ上方に位置する横軸線を有し、縦軸線の左右に縦軸線と平行にそれぞれ縦軸線から6ｍｍ離れた位置に補助縦軸線を有し、横軸線の上下に横軸線と平行にそれぞれ横軸線から5ｍｍ離れた位置に補助横軸線を有し、かつその外形形状において、横軸線より下部に、縦軸線を軸として対称の位置に前記横軸線と平行な切り欠き部を有することを特徴としている。又、本発明に係わるボール衝突点変色シールはさらに、表面の前記縦軸線に前記突出部の最下端を基準として3ｍｍ〜10ｍｍピッチの目盛を有し、前記補助横軸線の下部から前記突出部の最下端の間に前記横軸線と平行な破線を有し、外形形状において、切り欠き部の延長線上に該破線を有することを特徴としている。
【０００９】
【発明の実施の形態】
本発明の実施の形態について、以下に説明する。
図１−ａに示すとおり、本発明に係わるボール衝突点変色シールは、外形形状が左右対称で、略ゴルフクラブのフェース面形状に沿った外形形状（６）を有し、下部中央に突出部（１）を有し、表面には該突出部（１）の最下端と接して外形形状（６）を２分する縦軸線（２）を有している。従って、本発明のシールを種種のフェース面形状をしたゴルフクラブに使用でき、通常のゴルフクラブだけでなく、左利き用のゴルフクラブにも通常のゴルフクラブと同様に使用することができる。また、本発明に係わるボール衝突点変色シールは、以下に述べる理由により、フェース面の外形形状が違ったゴルフクラブであっても、そのゴルフクラブのスイートスポット付近に該シール中央部の前記縦軸線（２）を合わせ、貼りつけることが可能である。
【００１０】
図１−ｂに示すとおり、通常のウッドゴルフクラブのフェース面は、外形形状が下側に向かって凸状の外形線よりなり、フェース面には数本のスコアライン（Ｅ）が存在する。最下部のスコアラインの略中心点を通るように該スコアライン（Ｅ）と直交する垂線（Ａ）をフェース面上に描いた。以下に示す測定結果より、該垂線（Ａ）は多くのゴルフクラブのスイートスポット上、又はその近傍を通過することがわかった。図８に、現在販売されている数十種類のゴルフクラブのスイートスポットの位置の測定結果をグラフによって示した。図８のグラフにおける横軸がＳＳ比率であり、縦軸がＳＳ高さである。図９−ａに示すとおり、測定値として用いたＳＳ比率は、フェース面のヒール側端部（Ｈ）からスイートスポットの位置（Ｓ）までの長さ（Ｌ１）の、フェース面全長（Ｌ２）に対する比率であり、パーセントで示される。図８のグラフに示すとおり、今回測定に用いたゴルフクラブの多くは、スイートスポットの位置がＳＳ比率４８％から５４％であり、中でも５０％のものが最も多い。
【００１１】
また、図９−ｂに示すとおり、今回測定に用いたゴルフクラブでは、フェース面上にヒール側端部（Ｈ）からフェース面全長（ Ｌ２）の５０％の長さの位置でスコアライン（Ｅ）と直交する直線を引くと、該直線は最下部のスコアラインの略中央部の位置で交差する。つまり、図９−ｂにおける該直線と図１−ｂにおける垂線（Ａ）とが一致する。従って、図１−ｂ 、及び図１−ｃに示すとおり、ゴルフクラブのフェース面上にある該垂線（Ａ）とフェース面の外形線の下部との交点（Ｐ）の位置に本発明に係わるボール衝突点変色シールの突出部（１）の最下端を合わせ、縦軸線（２）とスコアライン（Ｅ）とが垂直になるように貼りつけると、垂線（Ａ）上に位置する縦軸線（２）が多くのゴルフクラブのスイートスポット上、又はその近傍を通過する。
【００１２】
また、本発明に係わるボール衝突点変色シールは、前記縦軸線（２）の中央部付近で直交する横軸線を有している。該横軸線の位置は後述の理由により、突出部（１）の最下端から２７．５ｍｍ±１０ｍｍ上方の位置で前記縦軸線と直交するのが望ましく、突出部（１）の最下端から２７．５ｍｍ上方の位置で前記縦軸線と直交するのが最も望ましい。図２−ｂに、横軸線（３）が突出部（１）の最下端から２７．５ｍｍ上方の位置で前記縦軸線（２）と直交する本発明に係わるボール衝突点変色シールを示した。
【００１３】
図８のグラフに示すとおり、現在販売されている数十種類のゴルフクラブのスイートスポットの位置をＳＳ高さによって測定した。図１０に示すとおり、 該ＳＳ高さは、ゴルフクラブのスイートスポットの位置がグランドライン（Ｇ）から何ｍｍ上方の位置に存在するのかを示す値である。また、図８のグラフに示すとおり、現在販売されている数十種類のゴルフクラブのスイートスポットのＳＳ高さは、２７ｍｍ〜３７ｍｍの範囲に多く存在しており、平均は略３２ｍｍである。そして図１０に示すとおり、今回、測定に用いた現在販売されている数十種類のゴルフクラブの前記交点（Ｐ）はグランドラインから略４．５ｍｍ上方に位置する。つまり、図２−ｂに示すとおり、今回、測定に用いたゴルフクラブのスイートスポットの位置において、略平均値であるグランドラインから３２ｍｍ上方の位置は、ゴルフクラブの前記交点（Ｐ）の位置から２７.５ｍｍ上方の位置である。
【００１４】
従って、ゴルフクラブのフェース面上の該直交線（Ｂ）は多くのゴルフクラブのスイートスポット付近を通過する。図２−ｂに示すとおり、ゴルフクラブのフェース面上で該垂線（Ａ）と外形線の下部との交点（Ｐ）の位置に本発明に係わるボール衝突点変色シールの突出部（１）の最下端を合わせ、横軸線（３）とスコアライン（Ｅ）とが平行になるように貼りつけると、本発明に係わるボール衝突点変色シールの横軸線（３）が多くのゴルフクラブのスイートスポット付近を通過する。
【００１５】
前記のとおり本発明に係わるボール衝突点変色シールをゴルフクラブのフェース面へ貼りつけて打撃練習を行った時、以下のことが可能となる。ボール衝突点変色シールに形成された打痕の位置を、縦軸線、及び横軸線の位置と比較することにより、ゴルフクラブのスイートスポットの位置からどの程度離れているかがわかる。
【００１６】
更に、本発明に係わるボール衝突点変色シールは、表面に前記縦軸線の左右に縦軸線と平行にそれぞれ補助縦軸線を有し、前記横軸線の上下に横軸線と平行にそれぞれ補助横軸線を有している。該補助縦軸線の位置は、後述の理由により、縦軸線から６ｍｍ離れているのが望ましい。また、該補助横軸線の位置は、後述の理由により、横軸線から５ｍｍ離れているのが望ましい。
【００１７】
図８のグラフに示すとおり、現在販売されている数十種類のゴルフクラブのスイートスポットの位置は、ＳＳ比率が４８％から５４％までの範囲に存在する。
ゴルフクラブのフェース面全長が１００mmとすると、測定に用いたゴルフクラブのスイートスポットの位置は、フェース面のヒール側端部からトゥ側端部に向かい４８ｍｍから５４ｍｍまでの６ｍｍの間隔内に存在する。また、該間隔にやや余裕を持たせ、ゴルフクラブのスイートスポットの位置がフェース面のヒール側端部からトゥ側端部に向かい４４ｍｍから５６ｍｍまでの１２ｍｍの間隔内に存在することを考え、以下に示す領域（Ｘ）を指定した。
図３−ａに示すとおり、ゴルフクラブのフェース面全長を１００ｍｍとし、ゴルフクラブのフェース面上で前記垂線（Ａ）から左右６ｍｍに位置する２本線でかこまれた領域（Ｘ）に多くのゴルフクラブのスイートスポットが存在すると考えた。
【００１８】
また、図８のグラフに示すとおり、現在販売されている数十種類のゴルフクラブのスイートスポットの位置は、ＳＳ高さが２７ｍｍから３７ｍｍまでの範囲に多くが集中している。図１１−ａに示すとおり、 ＳＳ高さが２７ｍｍの位置は、ゴルフクラブのフェース面上で前記交点（Ｐ）から２２．５ｍｍ上方の位置である。また、図１１−ｂに示すとおり、ＳＳ高さが３７ｍｍの位置は、ゴルフクラブのフェース面上で前記交点（Ｐ）から３２．５ｍｍ上方の位置である。図３−ｂに示すとおり、ゴルフクラブのフェース面上で直交線（Ｂ）から上下５ｍｍに位置する２本線でかこまれた領域（Ｙ）に多くのゴルフクラブのスイートスポットが存在すると考えた。
【００１９】
また、図３−ｃに示すとおり、該領域（Ｘ）と該領域（Ｙ）との共通部分を共通領域（Ｚ）とした。該共通領域（Ｚ）は多くのゴルフクラブのスイートスポットを含む最小の領域と考えられる。従って、図４に示すとおり、ゴルフクラブのフェース面上で該垂線（Ａ）と前記フェース面の外形線（Ｄ）との交点（Ｐ）の位置に本発明に係わるボール衝突点変色シールの突出部（１）の最下端を合わせ、横軸線（３）とスコアライン（Ｅ）とが平行になるように貼りつけると、本発明に係わるボール衝突点変色シールの２本の補助縦軸線（４−１、及び４−２）、及び２本の補助横軸線（５−１、及び５−２）で囲まれた領域（Ｚ’）が多くのゴルフクラブのスイートスポットを含むと考えられる。
従って、前記のとおり本発明に係わるボール衝突点変色シールをゴルフクラブのフェース面へ貼りつけて打撃練習を行った時、以下のことが可能となる。ボール衝突点変色シールに形成された打痕の位置を、前記領域（Ｚ’）の位置と比較することにより、ゴルフクラブのスイートスポットの位置からどの程度離れているかがわかる。
【００２０】
また、図５−ａに示すとおり、本発明に係わるボール衝突点変色シールは、外形形状において前記横軸線（３）より下部に、該横軸線（３）を軸として対称の位置に該横軸線（３）と平行な切り欠き部を有する。該切り欠き部（Ｃ）は２ｍｍ以上であり、１０ｍｍ以下である。また、通常、該切り欠き部（Ｃ）は２箇所であることが多いが４箇所以上であっても可能である。図５−ｂに示すとおり、ゴルフクラブのフェース面上で垂線（Ａ）と前記フェース面の外形線（Ｄ）との交点（Ｐ）の位置に本発明に係わるボール衝突点変色シールの突出部（１）の最下端を合わせ、横軸線（３）とスコアライン（Ｅ）とが平行になるように貼りつける際、該切り欠き部（Ｃ）をゴルフクラブのスコアラインと平行に合わせることにより、該シール全体がゴルフクラブのフェース面で左右に傾くことなく貼りつけることができる。以上が、本発明の請求項１についての実施の形態である。以下に、本発明の請求項２についての実施の形態を記載する。
【００２１】
また、本発明に係わるボール衝突点変色シールは、表面の前記縦軸線上に前記突出部の最下端を基準として３ｍｍ〜１０ｍｍピッチの目盛を有し、前記２本の補助横軸線の内、下側の補助横軸線の下部から前記突出部の最下端までの間に前記横軸線と平行な破線を有し、切り欠き部の延長線上に該破線を有している。
図６−ａに示すとおり、本発明に係わるボール衝突点変色シールの縦軸線（２）に前記突出部（１）の最下端を基準として３ｍｍ〜１０ｍｍピッチの目盛（７）を有し、さらに２本の補助横軸線（５−１、及び５−２）の内、下側の補助横軸線（５−２）の下部から前記突出部（１）の最下端までの間に前記横軸線（３）と平行な破線（８）を有する。該破線（８）は通常２本から３本であるが、４本以上でも可能である。また、本発明に係わるボール衝突点変色シールの外形形状における切り欠き部（Ｃ）の延長線上には必ず該破線（８）が存在する。また、該破線（８）は図６−ｂに示すとおり、ゴルフクラブのフェース面上で垂線（Ａ）と前記フェース面の外形線（Ｄ）との交点（Ｐ）の位置に本発明に係わるボール衝突点変色シールの突出部（１）の最下端を合わせ、横軸線（３）とスコアライン（Ｅ）とが平行になるように貼りつける際、該切り欠き部（Ｃ）、及び破線（８）をゴルフクラブのスコアラインと平行に合わせることにより、より該シール全体がゴルフクラブのフェース面で左右に傾くことなく貼りつけることができる。
【００２２】
【実施例】
本発明の実施例を図面に基づき説明する。図７−ａに示すとおり、本発明に係わるボール衝突点変色シールは外形形状が左右対称で、略ゴルフクラブのフェース面形状に沿った外形線を有し、下部中央に突出部（１）を有し、表面には該突出点部分の最下端と接して外形線を２分する縦軸線（２）と、該縦軸線（２）と前記突出部（１）の最下端から２７．５ｍｍ離れた点で直交する横軸線（３）を有し、表面には前記縦軸線（２）の左右に縦軸線と平行にそれぞれ縦軸線から６ｍｍ離れた２本の補助縦軸線（４−１、及び４−２）を有し、前記横軸線（３）の上下に横軸線（３）と平行にそれぞれ横軸線から５ｍｍ離れた２本の補助横軸線（５−１、及び５−２）を有する。また、図７−ｂ に示すとおり、本発明に係わるボール衝突点変色シールは、外形形状において前記横軸線より下部の２箇所に該切り欠き部（Ｃ）を有し、表面には前記縦軸線（２）上に前記突出部（１）の最下端を基準として５ｍｍピッチの目盛（７）を有し、前記補助横軸線（５−２）の下部から前記突出部の最下端の間に前記横軸線と平行な２本の破線（８−１、及び８−２）を有し、切り欠き部（Ｃ）の延長線上に前記破線（８−２）を有する。また、破線（８−１）は前記突出部（１）の最下端から１８ｍｍ上方に位置し、破線（８−２）は前記突出部（１）の最下端から１３ｍｍ上方に位置する。
【００２３】
図７−ａ、及び図７−ｂに示すとおり、本発明に係わるボール衝突点変色シールは、外形形状が左右対称であることにより、本発明のシールを通常の右利き用のゴルフクラブだけでなく、左利き用のゴルフクラブにも通常のゴルフクラブと同様に使用することができる。また、本発明に係わるボール衝突点変色シールは、略ゴルフクラブのフェース面形状に沿った外形形状を有し、下部中央に突出部（１）を有していることにより、フェース面の外形形状が違ったゴルフクラブであっても、そのゴルフクラブのスイートスポット付近の下部に該突出部を対応させて貼りつけることが可能である。
【００２４】
また、図６−ｂに示すとおり、ゴルフクラブフェース面上にある最下部のスコアラインの略中心で直交する垂線（Ａ）と、ゴルフクラブフェース面の外形線（Ｄ）との交点（Ｐ）の位置に本発明に係わるボール衝突点変色シールの突出部（１）の最下端を合わせ、横軸線（３）とスコアライン（Ｅ）とが平行になるように貼りつけると、本発明に係わるボール衝突点変色シールの２本の補助縦軸線（４−１、及び４−２）、及び２本の補助横軸線（５−１、及び５−２）で囲まれた領域（Ｚ’）が多くのゴルフクラブのスイートスポットを含む。
【００２５】
従って、ゴルフ打撃練習により本発明に係わるボール衝突点変色シールに付着した打痕が実際のゴルフクラブのスイートスポットと、どの程度離れているのかが一目瞭然である。
【００２６】
また、図７−ｂ に示すとおり、本発明に係わるボール衝突点変色シールは、外形形状において前記横軸線より下部の２箇所に該横軸線（３）と平行な５ｍｍの切り欠き部（Ｃ）を有し、
表面には前記縦軸線（２）上に前記突出部（１）の最下端を基準として５ｍｍピッチの目盛（７）を有し、前記補助横軸線（５−２）の下部から前記突出部の最下端の間に前記横軸線と平行な２本の破線（８−１、及び８−２）を有し、切り欠き部（Ｃ）の延長線上に前記破線（８−２）を有する。また、破線（８−１）は前記突出部（１）の最下端から１８ｍｍ上方に位置し、破線（８−２）は前記突出部（１）の最下端から１３ｍｍ上方に位置する。
【００２７】
従って、ゴルフクラブのフェース面上にある最下部のスコアラインの略中心で直交する垂線（Ａ）と、ゴルフクラブフェース面の外形線（Ｄ）との交点（Ｐ）の位置に本発明に係わるボール衝突点変色シールの突出部（１）の最下端を合わせ、横軸線（３）とスコアライン（Ｅ）とが平行になるようて貼りつける際、該切り欠き部（Ｃ）、及び破線（８）をゴルフクラブのスコアラインと平行に合わせることにより、より該シール全体がゴルフクラブのフェース面で左右に傾くことなく貼りつけることができる。
【００２８】
【発明の効果】
本発明は以上説明したような形態で実施され、以下に記載されるような効果を奏する。
本発明のシールを種種のフェース面形状をしたゴルフクラブに使用でき、通常のゴルフクラブだけでなく、左利き用のゴルフクラブにも通常のゴルフクラブと同様に使用することができる。また、本発明に係わるボール衝突点変色シールは、フェース面の外形形状が違ったゴルフクラブであっても、そのゴルフクラブのスイートスポット付近に該シール中央部の縦軸線を合わせ、貼りつけることが可能である。また打撃練習によって本発明に係わるボール衝突点変色シールに形成される打痕の位置と実際のゴルフクラブフェース面のスイートスポットの位置とが対比しやすく、ゴルフクラブフェース面で傾斜して貼りつけられることが極端に少い。
【図面の簡単な説明】
【図１】図１−ａは、本発明のボール衝突点変色シールの正面図であり、図１−ｂは、通常のウッドゴルフクラブのフェース面の正面図であり、図１−ｃは、本発明のボール衝突点変色シールをウッドゴルフクラブのフェース面に貼りつけた時の正面図である。
【図２】図２−ａは、ウッドゴルフクラブのフェース面の正面図であり、図２−ｂは、ウッドゴルフクラブのフェース面に本発明のボール衝突点変色シールを貼りつけた時の正面図である。
【図３】図３−ａは、ウッドゴルフクラブのフェース面で領域（Ｘ）の位置を示す図であり、図３−ｂは、ウッドゴルフクラブのフェース面で領域（Ｙ）の位置を示す図であり、図３−ｃは、ウッドゴルフクラブのフェース面で領域（Ｚ）の位置を示す図である。
【図４】図４は、領域（Ｚ’）の位置が示された本発明のボール衝突点変色シールをウッドゴルフクラブのフェース面に貼りつけた時の正面図である。
【図５】図５−ａは、本発明のボール衝突点変色シールで切り欠き部（Ｃ）の位置等を示す図であり、図５−ｂは、本発明のボール衝突点変色シールをウッドゴルフクラブのフェース面に貼りつけた時の正面図である。
【図６】図６−ａは、本発明のボール衝突点変色シールで目盛（７）の位置等を示す図であり、図６−ｂは、本発明のボール衝突点変色シールをウッドゴルフクラブのフェース面に貼りつけた時の正面図である。
【図７】図７−ａは、本発明のボール衝突点変色シールで補助横軸線（５−１、及び５−２）の位置等を示す図であり、、及び図７−ｂは、本発明のボール衝突点変色シールをウッドゴルフクラブのフェース面に貼りつけた時の正面図である。
【図８】図８は、現在販売されている数十種類のウッドゴルフクラブのスイートスポット位置を示すグラフである。
【図９】図９−ａは、ウッドゴルフクラブのフェース面におけるスイートスポットの位置とヒール側端部（Ｈ）との位置関係を示す図であり、図９−ｂは、通常のウッドゴルフクラブのフェース面におけるスコアライン（Ｅ）の位置と、ヒール側端部（Ｈ）からフェース面全長（Ｌ２）の５０％の長さの位置との関係を示す図である。
【図１０】図１０は、ウッドゴルフクラブのフェース面におけるスイートスポットの位置（Ｓ）とグランドライン（Ｇ）の位置との関係を示す図である。
【図１１】図１１−ａ、及び図１１−ｂは、ウッドゴルフクラブのフェース面におけるスイートスポットの位置（Ｓ）と、交点（Ｐ）の位置と、グランドライン（Ｇ）の位置との関係を示す図である。
【符号の説明】
１  突出部
２  縦軸線
３  横軸線
４−１  補助縦軸線
４−２  補助縦軸線
５−１  補助横軸線
５−２  補助横軸線
６  外形形状
目盛
８−１  破線
８−２  破線
Ａ  垂線
Ｂ  直交線
Ｃ  切り欠き部
Ｄ  フェース面の外形線
Ｅ  スコアライン
Ｇ  グランドライン
Ｈ  ヒール側端部
Ｌ１  ゴルフクラブフェース面のヒール側端部（Ｈ）からスイートスポットの位置（Ｓ）までの長さ
Ｌ２  フェース面全長
Ｍ  交点（Ｐ）から２７．５ｍｍ上方に位置する点
Ｐ  垂線（Ａ）とゴルフクラブフェース面の外形線（Ｄ）との交点
Ｓ  スイートスポットの位置
Ｔ  トゥ側端部
Ｘ  フェース面上で垂線（Ａ）から６ｍｍ離れた２本線で囲まれた領域
Ｙ  フェース面上で直交線（Ｂ）から５ｍｍ離れた２本線で囲まれた領域
Ｚ  領域（Ｘ）と領域（Ｙ）との共通領域
Ｚ′補助縦軸線（４−１、及び４−２）と補助横軸線（５−１、及び５−２）とで囲まれた領域
【図１】
0004024455.tif 000002
【図２】
0004024455.tif 000003
【図３】
0004024455.tif 000004
【図４】
0004024455.tif 000005
【図５】
0004024455.tif 000006
【図６】
0004024455.tif 000007
【図７】
0004024455.tif 000008
【図８】
0004024455.tif 000009
【図９】
0004024455.tif 000010
【図１０】
0004024455.tif 000011
【図１１】
0004024455.tif 000012